(57)【要約】【課題】メモリーカードを飛び出しにくくすることが可能なカードコネクタを提供する。【解決手段】カバー１０は、平面部３１が外周面の一部に形成されたヒンジ軸３０と、ロック爪部１１と、を有し、ソケット２０は、閉状態でロック爪部１１と係合してカバー１０を固定させる係合部２４と、ヒンジ軸３０が挿通し、カバー１０を、ロック爪部１１が係合部２４に係合した第１の位置からロック爪部１１が係合部２４から外れた第２の位置まで回転可能に支持するガイド孔２５と、カバー１０が第１の位置に配置されているときに変形し、その後、ロック爪部１１が係合部２４から外れたときに弾性変形し、弾性力でカバー１０をヒンジ軸３０を中心に第２の位置に向けて回転させ始める、ばね性を備えた信号端子２２と、ガイド孔２５に近接して設けられ、カバー１０の回転の途中で平面部３１に平行に当接し、カバー１０の回転を一旦停止させる板状部材４０と、を有する。【選択図】  図６
2012146568.tif 000002
【特許請求の範囲】
【請求項１】
メモリーカードが着脱可能なカバーと、前記カバーと重なり合う閉状態で前記カバーを固定可能なソケットと、を有するカードコネクタにおいて、
前記カバーは、平面部が外周面の一部に形成されたヒンジ軸と、前記カバーの縁部から突出したロック爪部と、を有し、
前記ソケットは、前記閉状態で前記ロック爪部と係合して前記カバーを前記ソケットに固定させる係合部と、前記ヒンジ軸が挿通し、前記カバーを、前記ロック爪部が前記係合部に係合した第１の位置から前記ロック爪部が前記係合部から外れた第２の位置まで回転可能に支持するガイド孔と、前記カバーが前記第１の位置に位置しているときに前記カバーに押しつけられて変形し、その後、前記ロック爪部が前記係合部から外れたときに弾性変形し、該弾性変形で生じた弾性力で前記カバーを前記ヒンジ軸を中心に前記第２の位置に向けて回転させ始める、ばね性を備えた信号端子と、前記ガイド孔に近接して設けられ、前記カバーの回転の途中で前記平面部に平行に当接し、該当接により前記カバーの回転を一旦停止させる板状部材と、を有する、
ことを特徴とするカードコネクタ。
【請求項２】
前記ヒンジ軸の前記外周面は、互いに隣接する第１の平面部および第２の平面部と、前記第１の平面部および前記第２の平面部に隣接する円孤部と、を有する、請求項１に記載のカードコネクタ。
【請求項３】
前記ヒンジ軸の前記外周面は、互いに隣接する３つ以上の前記平面部を有する、請求項１に記載のカードコネクタ。
【請求項４】
請求項１から請求項３までのいずれか１項に記載のカードコネクタと、
前記カードコネクタが取り付けられた筺体と、
を有する電子機器。
【発明の詳細な説明】
【技術分野】
【０００１】
本発明は、メモリーカード用のカードコネクタ、およびそのカードコネクタが取り付けられた電子機器に関する。
【背景技術】
【０００２】
電子機器の一つである携帯電話機では、一般的に、画像データや音声データなどを記憶したメモリーカードを装着するためのカードコネクタが筺体に設けられている。カードコネクタには、カードを装着したカバーを、ヒンジ軸を中心に回転可能にソケットに連結したヒンジ式のカードコネクタがある（特許文献１参照）。
【０００３】
図９は、本発明に関連するカードコネクタの要部構成を示す側面図である。図９に示すカードコネクタ１００は、筺体５００に取り付けられている。カードコネクタ１００において、メモリーカード２００は、カバー３００に装着した状態でソケット４００に電気的に接続されている。以下、図９に示すカードコネクタ１００からメモリーカード２００を抜き取る動作内容について、図１０〜図１２を参照しながら説明する。
【０００４】
図１０に示すように、カバー３００を水平方向にスライドさせると、カバー３００のロック爪部３０１がソケット４００から外れる。すると、信号端子４０２の弾性力により、カバー３００がヒンジ軸３０２を中心に回転し始める（図１１参照）。その後、カード３００は、図１２に示すように、筺体５００に当接する位置まで回転する。カバー３００が筺体５００に当接した状態で、カバー３００からメモリーカード２００を抜き取ることが可能となる。
【先行技術文献】
【特許文献】
【０００５】
【特許文献１】特開２００６−２１０１２８号公報
【発明の概要】
【発明が解決しようとする課題】
【０００６】
図９に示すカードコネクタ１００では、ヒンジ軸３０２の外周面が円曲面である。そのため、信号端子４０２の弾性力によってカバー３００が回転し始めると、途中で停止することなく筺体５００に当接するまで回転し続ける。そのため、例えば、操作者がカバー３００から素早く指を離したり、操作者が誤ってカバー３００を回転方向にはじいたりすると、カバー３００が大きな回転速度で回転する場合が考えられる。この場合、カバー３００が筺体５００に当接するまでにカバー３００からメモリーカード２００が飛び出し、その結果、メモリーカード２００が損傷したり紛失したりする可能性がある。
【０００７】
そこで、本発明は、メモリーカードを飛び出しにくくすることが可能なカードコネクタ、および電子機器を提供することを目的とする。
【課題を解決するための手段】
【０００８】
上記目的を達成するため本発明のカードコネクタは、メモリーカードが着脱可能なカバーと、前記カバーと重なり合う閉状態で前記カバーを固定可能なソケットと、を有するカードコネクタにおいて、前記カバーは、平面部が外周面の一部に形成されたヒンジ軸と、前記カバーの縁部から突出したロック爪部と、を有し、前記ソケットは、前記閉状態で前記ロック爪部と係合して前記カバーを前記ソケットに固定させる係合部と、前記ヒンジ軸が挿通し、前記カバーを、前記ロック爪部が前記係合部に係合した第１の位置から前記ロック爪部が前記係合部から外れた第２の位置まで回転可能に支持するガイド孔と、前記カバーが前記第１の位置に位置しているときに前記カバーに押しつけられて変形し、その後、前記ロック爪部が前記係合部から外れたときに弾性変形し、該弾性変形で生じた弾性力で前記カバーを前記ヒンジ軸を中心に前記第２の位置に向けて回転させ始める、ばね性を備えた信号端子と、前記ガイド孔に近接して設けられ、前記カバーの回転の途中で前記平面部に平行に当接し、該当接により前記カバーの回転を一旦停止させる板状部材と、を有する、ことを特徴とする。
【０００９】
また、上記目的を達成するため本発明の電子機器は、上記のカードコネクタと、前記カードコネクタが取り付けられた筺体と、を有する。
【発明の効果】
【００１０】
本発明によれば、信号端子の弾性力によってカバーがヒンジ軸を中心に大きな回転速度で第１の位置から第２の位置に向けて回転し始めても、回転の途中で、ヒンジ軸の平面部が板ばねと平行に当接することによって、カバーの回転が一旦停止する。これにより、カバーからメモリーカードを飛び出しにくくすることが可能となる。
【図面の簡単な説明】
【００１１】
【図１】本発明のカードコネクタの一実施形態の構成を示す図である。
【図２】図１に示すカードコネクタのカバーの外形を示す図である。
【図３】図１に示すカードコネクタのソケットの外形を示す図である。
【図４】図１に示すカードコネクタからメモリーカードを抜き取る動作内容を説明するための側面図である。
【図５】図１に示すカードコネクタからメモリーカードを抜き取る動作内容を説明するための側面図である。
【図６】図１に示すカードコネクタからメモリーカードを抜き取る動作内容を説明するための側面図である。
【図７】図１に示すカードコネクタからメモリーカードを抜き取る動作内容を説明するための側面図である。
【図８】本発明のカードコネクタの他の実施形態の構成を示す図である。
【図９】本発明に関連するカードコネクタの要部構成を示す側面図である。
【図１０】図９に示すカードコネクタからメモリーカードを抜き取る動作内容を説明するための側面図である。
【図１１】図９に示すカードコネクタからメモリーカードを抜き取る動作内容を説明するための側面図である。
【図１２】図９に示すカードコネクタからメモリーカードを抜き取る動作内容を説明するための側面図である。
【発明を実施するための形態】
【００１２】
図１は、本発明のカードコネクタの一実施形態の構成を示す図である。図１（ａ）は、本実施形態のカードコネクタ１の上面図であり、図１（ｂ）は、カードコネクタ１０の側面図である。
【００１３】
本実施形態のカードコネクタ１は、カバー１０と、カバー１０と重なり合う閉状態でカバー１０を固定可能なソケット２０と、を有する。図２は、カバー１０の外形を示す図である。図２（ａ）は、カバー１０の上面図であり、図２（ｂ）は、カバー１０の側面図である。また、図２（ｃ）は、図２（ｂ）に記載の領域Ｒの拡大図である。図３は、ソケット２０の外形を示す図である。図３（ａ）は、ソケット２０の上面図であり、図３（ｂ）は、ソケット２０の側面図である。
【００１４】
ソケット２０は、図３（ａ）に示すように、金属板または合成樹脂で形成されたコネクタフレーム２１を有する。コネクタフレーム２１には、合成樹脂製のインシュレータ２３が取り付けられている。インシュレータ２３は、導電率の良い銅合金製で形成され、ばね性を備えた信号端子２２を保持している。信号端子２２は、カバー１０に挿入されるメモリーカード２００と接触する接触部２２ａと、表面実装部２２ｂと、接触部２２ａと表面実装部２２ｂをつなげ弾性力を生み出すアーム部２２ｃと、を有する。また、インシュレータ２３には、係合部２４が設けられている（図３（ｂ）参照）。係合部２４は、カバー１０の縁部から突出したロック爪部１１と係合することによって、カバー１０をソケット２０に固定させる。
【００１５】
コネクタフレーム２１の両側面には、図３（ｂ）に示すように、楕円状のガイド孔２５が開口している。ガイド孔２５には、カバー１０の両側面から突出したヒンジ軸３０が挿通されている。ガイド孔２５は、ヒンジ軸３０を回転可能に支持している。ヒンジ軸３０は、図２（ｃ）に示すように、平面部３１（第１の平面部）と、平面部３１と隣接する平面部３２（第２の平面部）と、平面部３１および平面部３２と隣接する円孤部３３と、を有する。
【００１６】
ガイド孔２５に近接して、ばね性を備えた板状部材４０が設けられている（図３（ｂ）参照）。板状部材４０は、コネクタフレーム２１の一部の板金を延出するか、あるいは、板ばね単体をコネクタフレーム２１に圧入することによって形成される。
【００１７】
次に、本実施形態のカードコネクタ１からメモリーカード２００を抜き取る動作内容について、図４〜図７を参照しながら説明する。なお、ここでは、カードコネクタ１が、筺体５０に取り付けられている電子機器（例えば、携帯電話機）の形態で説明する。
【００１８】
図４では、メモリーカード２００がカバー１０内に装着され、カバー１０は、ロック爪部１１がインシュレータ２３の係合部２４に係合する位置（第１の位置）に配置されている。このとき、ヒンジ軸３０は、ガイド孔２５の一端に位置している。また、ソケット２０の信号端子２２は、ソケット２０に押さえつけられて変形している。
【００１９】
まず、カバー１０が、ロック爪部１１がインシュレータ２３の係合部２４から外れるように、水平方向（図４の矢印Ｘ参照）にスライド移動させられる。このとき、ヒンジ軸３０は、ガイド孔２５の他端に移動する。なお、板状部材４０には、山部が形成されており、ヒンジ軸３０が板状部材４０の山部を乗り上げないとカバー１０はスライドできない仕組みになっている。この仕組みにより、操作者にカバー１０のロックが解除されたことを気づかせることが可能となる。なお、カバー１０のロックが解除されるとは、図５に示すように、カバー１０のロック爪部１１がインシュレータ２３の係合部２４から外れた状態になることをいう。
【００２０】
カバー１０のロックが解除された後、操作者がカバー１０から指を離すと、信号端子２２の弾性力により、カバー１０は、ヒンジ軸３０を中心に回転方向（図５の矢印Ｙ参照）に回転し始める。その後、図６に示すように、ヒンジ軸３０の平面部３１が板状部材４０と平行に当接する位置までカバー１０が回転したとき、ヒンジ軸３０の平面部３１と板状部材４０との当接によって、カバー１０の回転が一旦停止する。
【００２１】
カバー１０の回転が一旦停止した後、操作者が、カバー１０を回転方向に付勢すると、カバー１０は、再び回転し始める。そして、図７に示すように、ヒンジ軸３０の平面部３２が板状部材４０に平行に当接する位置（第２の位置）までカバー１０が回転したとき、カバー１０の回転は停止する。このとき、カバー１０は筺体５０に接触することなく自立した状態になる。操作者は、この状態でメモリーカード２００を抜き取ることができる。
【００２２】
図９、図１０に示すカードコネクタ１００では、ヒンジ軸３０２の外周面が、円曲面であるため、カバー３００は、筺体５００に接触するまで回転し続けていた。そのため、信号端子４０２の弾性力によって、カバー３００が大きな回転速度で回転し始めると、メモリーカード２００がカバー３００から飛び出す可能性が高かった。一方、本実施形態のカードコネクタ１では、ヒンジ軸３０の平面部３１と板状部材４０との当接によりカバー１０の回転が一旦停止するので、メモリーカード２００がカバー１０から飛び出しにくくなる。
【００２３】
また、図９、図１０に示すカードコネクタ１００では、カバー３００が筺体５００に接触した状態で回転が停止する。そのため、操作者がメモリーカード２００を抜き取る際にカバー３００の端部が押し付けられると、テコの原理でヒンジ軸３０２に過剰な力が加わり、ヒンジ軸３０２やソケット４００が変形または破損することが懸念される。しかし、本実施形態のカードコネクタ１０では、カバー１０は、平面部３２が板状部材４０に対して平行に当接する状態で自立する。そのため、仮に操作者がメモリーカード２００あるいはカバー１０を押し付けたりしても、ヒンジ軸３０を回転方向に回転させることでヒンジ軸３０２に加わる力を逃すことができる。そのため、ヒンジ軸３０やソケット２０の変形、破損を防ぐことが可能となる。
【００２４】
なお、本実施形態では、ヒンジ軸３０に形成された平面部は２つだけであったが、本発明では、ヒンジ軸３０の外周面に平面部を３つ以上形成してもよい。図８は、ヒンジ軸３０の外周面に６つの平面部が形成されたカードコネクタを構成するカバーの側面図である。図８（ａ）は、カバー全体の側面図を示し、図８（ｂ）は、図８（ａ）に示す領域Ｓの拡大図である。
【００２５】
本実施形態のカードコネクタ１では、ヒンジ軸３０に形成された平面部は２面のため、カバー１０のロックが解除された直後と、カバー１０が大きく開いたときに、カバー１０の回転が停止した（図６、図７参照）。一方、図８に示すようにヒンジ軸３０の外周面に３つ以上の平面部を形成すると、それぞれの平面部でカバー１０の回転を一旦停止させることが可能となる。これにより、操作者は、カバー１０が最も開いた状態（メモリーカード２００がソケット２０から最も離れた状態）でなくても任意の回転角度でカバー１０の回転を停止させることが可能となる。すなわち、カバー１０からメモリーカード２００を抜き取る際に、カバー１０の回転角度の選択の幅を広げることが可能となる。
【符号の説明】
【００２６】
１、１００  カードコネクタ
１０、３００  カバー
１１  ロック爪部
２０、２００  ソケット
２１  コネクタフレーム
２２  信号端子
２３  インシュレータ
２４  係合部
２５  ガイド孔
３０、３０２  ヒンジ軸
３１、３２  平面部
３３  円孤部
４０  板状部材
５０、５００  筺体
２００  メモリーカード
【図１】
2012146568.tif 000003
【図２】
2012146568.tif 000004
【図３】
2012146568.tif 000005
【図４】
2012146568.tif 000006
【図５】
2012146568.tif 000007
【図６】
2012146568.tif 000008
【図７】
2012146568.tif 000009
【図８】
2012146568.tif 000010
【図９】
2012146568.tif 000011
【図１０】
2012146568.tif 000012
【図１１】
2012146568.tif 000013
【図１２】
2012146568.tif 000014